(57)【特許請求の範囲】
【請求項１】
ＤＭＴ変調された信号を加入者回線を伝送路として送信する送信部と、前記加入者回線からＤＭＴ変調された信号を受信する受信部とを備えたｘＤＳＬトランシーバであって、自局送信信号が回り込んで来た近端漏話と相手局送信信号とのフレーム位相を自局受信部で一致させることによって、受信側のＦＦＴ区間に近端漏話信号が発生しないようにする近端漏話抑圧手段を有し、前記送信部は前記回り込み信号抑圧手段を備え、前記回り込み信号抑圧手段は、前記送信部から前記受信部への前記回り込み信号のキャリアのフレーム境界がすべての周波数について同じになるようにする位相補償器を備えていることを特徴とするｘＤＳＬトランシーバ。
【請求項２】
前記受信部は、前記送信部内の前記位相補償器の位相補償度合いを前記受信信号を解析して決定する位相補償度合い決定手段を備えていることを特徴とする請求項１に記載のｘＤＳＬトランシーバ。
【請求項３】
前記受信部は前記回り込み信号抑圧手段を備え、前記回り込み信号抑圧手段は、前記送信部から前記受信部への前記回り込み信号のキャリアのフレーム境界がすべての周波数について同じになるようにする位相補償器を備えていることを特徴とする請求項１に記載のｘＤＳＬトランシーバ。
【請求項４】
前記位相補償器は、前記送信部からの回り込み信号の群遅延歪み補正用の遅延イコライザと該遅延イコライザの出力におけるブロック間干渉を緩和するタイムドメインイコライザとを従属接続して構成されている、請求項３に記載のｘＤＳＬトランシーバ。
【請求項５】
前記位相補償器は、前記送信部からの回り込み信号の群遅延歪み補正用の遅延イコライザと該遅延イコライザの出力におけるブロック間干渉を緩和するタイムドメインイコライザとを従属接続したものと同一機能を有する単一のＦＩＲ型イコライザで構成されている、請求項３に記載のｘＤＳＬトランシーバ。
【請求項６】
前記送信部は前記回り込み信号抑圧手段の一部を備え、前記受信部は前記回り込み信号抑圧手段の他の一部を備えている、請求項１に記載のｘＤＳＬトランシーバ。
【発明の詳細な説明】
【０００１】
【発明の属する技術分野】
本発明は，既設の加入者回線を高速データ通信回線として利用する(Discrete Multitone)変調方式を用いたｘＤＳＬ(Digital Subscriber Line) トランシーバに関し、特に送信部から受信部への回り込み信号の抑圧を実現したｘＤＳＬトランシーバに関する。
【０００２】
【従来の技術】
(１）ＡＤＳＬ技術の説明
既設の加入者回線を高速データ通信回線として利用するディジタル加入者伝送システムを提供する技術としては、ｘＤＳＬが知られている。ｘＤＳＬは電話回線を利用した伝送方式で、かつ、変復調技術の一つである。このｘＤＳＬは、大きく分けて加入者宅 (以下、加入者側と呼ぶ）から収容局 (以下、局側と呼ぶ）への上り伝送速度と、局側から加入者側への下り伝送速度が、対称のものと非対称のものに分けられる。
【０００３】
非対称のｘＤＳＬにはＡＤＳＬ(Asymmetric ＤＳＬ）があり、下り伝送速度が６Ｍビット／秒程度のＧ．ｄｍｔと１．５Ｍビット／秒程度のＧ．ｌｉｔｅがあるが、どちらも変調方式としてＤＭＴ(Discrete Multiple Tone)変調方式を採用している。
（２）ＤＭＴ変調方式の説明
図１は従来のＡＤＳＬトランシーバの構成を示すブロック図である。図においては、局側の送信部と加入者側の受信部のみが示されており、局側の受信部と加入者側の送信部は図示を省略してあるが、局側の受信部は図示されている加入者側の受信部とほぼ同じ構成を有し、加入者側の送信部は図示されている局側の送信部とほぼ同じ構成を有する。
【０００４】
ＤＭＴ変調方式をＧ．ｌｉｔｅを例にとり、図１に示すＡＤＳＬトランシーバを用いて説明する。この説明では局から加入者への下り方向の変復調についてのみ説明するが、加入者から局への上り方向の変復調も下り方向と同様にして行われる。
図１において、局側の送信部は、シリアル送信データをパラレルに変換するシリアル・トウ・パラレル・バッファ（Ｓ−Ｐバッファ）１０と、エンコーダ２０と、２５６点逆高速フーリエ変換器 (以下、ＩＦＦＴ３０と称する）と、サイクリック・プリフェックス付加部４０と、パラレル・トウ・シリアル・バッファ（Ｐ−Ｓバッファ）４１と、Ｄ／Ａコンバータ５０と、送信ビットマップ６０とを備えている。
【０００５】
加入者側の受信部は、加入者回線７０からのアナログ信号をディジタル信号に変換するＡ／Ｄコンバータ８０と、タイム・ドメイン・イコライザ（ＴＥＱ）９０と、サイクリック・プリフェックス削除部１００と、シリアル・トウ・パラレル・バッファ (Ｓ−Ｐバッファ）１０１と、２５６点高速フーリエ変換器１１０と、周波数領域イコライザ（ＦＥＱ）１２０と、デコーダ１３０と、パラレル・トウ・シリアル・バッファ（Ｐ−Ｓバッファ）１４０とを備えている。
【０００６】
次に動作を説明する。まず、局側でＡＤＳＬトランシーバに送信データが入力されシリアル・トウ・パラレル・バッファ１０に１シンボル時間（１／４ｋＨｚ）分ストアされる。ストアされたデータは送信ビットマップ６０で前もって決められたキャリア当りの伝送ビット数ごとに分割して、エンコーダ２０に出力する。エンコーダ２０では入力されたビット列をそれぞれ直交振幅変調するための信号点に変換して逆高速フーリエ変換器３０（以下、ＩＦＦＴ３０と称する）に出力する。ＩＦＦＴ３０では逆高速フーリエ変換を行うことでそれぞれの信号点について直交振幅変調を行い、パラレル・トウ・シリアル・バッファ４０に出力する。この時、サイクリック・プリフェックス付加部４１では、ＩＦＦＴ３０の出力の２４０〜２５５サンプルをサイクリック・プリフェックスとしてＤＭＴシンボルの先頭に付加する。Ｐ−Ｓバッファ４０の出力はＤ／Ａコンバータ５０に送られ、そこで１．１０４ＭＨｚのサンプリング周波数でアナログ信号に変換され、メタリック回線７０を経由して加入者側に伝送される。
【０００７】
加入者側のＡＤＳＬトランシーバ内の受信部では、Ａ／Ｄコンバータ８０により、１．１０４ＭＨｚのディジタル信号に変換され、タイム・ドメイン・イコライザ（ＴＥＱ）９０に出力される。ＴＥＱ９０でシンボル間干渉(Inter Symbol Interference: ISI)が１６サンプルのサイクリック・プリフェックス内のみに収まるように処理した後、Ｓ−Ｐバッファ１０１に１ＤＭＴシンボル分ストアされる。この時、サイクリック・プリフェックス削除部１００にてサイクリック・プリフェックスが除去される。Ｓ−Ｐバッファ１０１の出力はＦＦＴ１１０に入力される。ＦＦＴ１１０では高速フーリエ変換を行い、信号点を発生 (復調）する。その後、復調した信号点は、ＦＥＱ１２０において、周波数の異なる各キャリアごとに、メタリック回線７０を通ることによって受けた振幅および位相への影響を補償して、デコーダ１３０により送信ビットマップ６０と同じ値を保持している受信ビットマップ１５０に従ってデコードする。デコードしたデータはＰ−Ｓバッファ１４０にストアされ、ビット列として受信データとなる。
（３）回り込み信号の説明
図２は従来のＡＤＳＬトランシーバにおける回り込み信号を説明するためのブロック図である。同図において、装置＃１は一方のＡＤＳＬトランシーバであり、装置＃２は他方のＡＤＳＬトランシーバであり、両トランシーバは加入者回線２４０で接続されている。装置＃１は、図１に参照番号１０〜６０で示した構成要素を含む送信部２１０と、図１に参照番号８０〜１５０で示した構成要素を持つ受信部２３０と、送信信号を加入者回線２４０に送り、加入者回線からの受信信号を受信部に引き渡すハイブリッド回路２２０とを備えている。装置＃２も装置＃１と同じ構成を有する。
【０００８】
装置＃１の送信部２１０から出力された信号は２線−４線変換回路であるハイブリッド回路２２０を通って加入者線２４０に出力される。ハイブリッド回路２２０では、自装置の送信信号が受信部２３０に回り込まないように設計してある。理想的なハイブリッド回路で完全に加入者回線とインピーダンス整合が取れていれば、送信信号の受信部２３０への回り込みは発生しない。しかし、実際には、加入者回線２４０の長さ・径・ブリッジタップの状態・温度等から、回線特性は加入者回線ごとに異なるため、ハイブリッド回路２２０においてインピーダンス不整合を起こし、送信部２１０からの送信信号が同一装置内の受信部２３０に回り込む。この回り込み（エコー) 成分が受信部２３０からみれば雑音となり、データ伝送特性の劣化要因となる。
【０００９】
図３は加入者側の従来のＡＤＳＬトランシーバにおける送信信号と受信信号のスペクトラムを示す図である。局側のＡＤＳＬトランシーバにおける送信信号と受信信号のスペクトラムも図３に示すものと同様なので図示を省略する。
従来は、帯域分割フィルタを用いて送信部から受信部への回り込み信号であるエコーを除去しようとしていた。この従来方法を図３を用いて説明する。
【００１０】
図３において、細い実線が局側からの受信信号 (下り信号）を示し、２点鎖線が加入者側から局側への送信信号 (上り信号）を示している。受信信号は比較的高周波数帯域側に主成分 (帯域内成分）を持ち、比較的低周波数帯域側に帯域外成分を持っている。また、送信信号は比較的低周波数帯域側に主成分をもち、比較的高周波数帯域側に帯域外成分を持っている。受信信号（下り信号）は加入者回線を通る間に減衰されるので図においては送信信号よりはゲインが低い信号となっている。図３に示すように、従来は、受信信号を送信信号の帯域外成分に対して十分なＳＮを持つようにするために、送信信号の帯域外成分を抑えて送信信号の主成分のみを通過させるための送信ロー・パス・フィルタ（送信ＬＰＦ）を送信部２１０の出力側に設け、送信信号の主成分を除去して受信信号の主成分のみを通過させるための受信ハイ・パス・フィルタ（ＨＰＦ）を受信部２３０の入力側に設けることにより、送信部から受信部への回り込み信号を抑圧していた。
【００１１】
しかしながら、送信信号の帯域外成分に対して受信信号のＳＮ比を十分に大きくするためには、立上がりおよび立下りが急峻な特性を持つ送信ＬＰＦと受信ＨＰＦのフィルタが必要になり、それぞれフィルタ次数が大きくなる。
【００１２】
【発明が解決しようとする課題】
以上説明したように、送信ＬＰＦと受信ＨＰＦを用いる従来の方法では、エコー成分を抑えるためのフィルターの次数を大きくする必要があるので、ハードウェアでフィルタを構成する場合はハードウェアが大きくなる。また、ディジタル信号処理装置（ＤＳＰ）等によりディジタル・フィルタで構成する場合は処理量が大きくなり、処理能力の高いＤＳＰが必要となり、どちらの場合も装置コストを高めてしまう。したがって、送信部から受信部に回り込む信号（エコー）を抑制するための低価格な手段が望まれる。
【００１３】
本発明は以上の課題を解決するため、送信信号と受信信号のフレーム境界を調整して回り込み信号を抑えることが可能なｘＤＳＬトランシーバを提供することを目的とする。
【００１４】
【課題を解決するための手段】
本発明の第１の側面によれば、自局送信信号が回り込んで来た近端漏話と相手局送信信号とのフレーム位相を自局受信部で一致させることによって、受信側のＦＦＴ区間に近端漏話信号が発生しないようにする近端漏話抑圧手段を有し、送信部は前記回り込み信号抑圧手段を備え、回り込み信号抑圧手段は、送信部から受信部への回り込み信号のキャリアのフレーム境界がすべての周波数について同じになるようにする位相補償器を備えていることを特徴とするｘＤＳＬトランシーバが提供される。
【００１５】
本発明の第２の局面によれば、上記第２の局面において、受信部は、送信部内の位相補償器の位相補償度合いを受信信号を解析して決定する位相補償度合い決定手段を備えている。
本発明の第３の局面によれば、上記第１の局面において、回り込み信号抑圧手段は受信部に設けられており、その回り込み信号抑圧手段は、送信部から受信部への回り込み信号のキャリアのフレーム境界がすべての周波数について同じになるようにする位相補償器を備えている。
【００１６】
本発明の第４の局面によれば、上記第４の局面において、位相補償器は、送信部からの回り込み信号の群遅延歪み補正用の遅延イコライザと該遅延イコライザの出力におけるブロック間干渉を緩和するタイムドメインイコライザとを従属接続して構成されている。
本発明の第５の局面によれば、上記第４の局面において、位相補償器は、送信部からの回り込み信号の群遅延歪み補正用の遅延イコライザと該遅延イコライザの出力におけるブロック間干渉を緩和するタイムドメインイコライザとを従属接続したものと同一機能を有する単一のＦＩＲ型イコライザで構成されている。
【００１７】
本発明の第６の局面によれば、上記第１の局面において、送信部は回り込み信号抑圧手段の一部を備え、受信部は回り込み信号抑圧手段の他の一部を備えている。
【００１８】
【発明の実施の形態】
以下、図面を参照しながら本発明の一実施形態を詳述する。全図を通じて，同一参照番号は同一または類似のものを示す。
(１) 受信フレームの位相合わせ
図４は従来のＡＤＳＬトランシーバを用いて受信信号を復調する際の送信信号における不連続点を説明する図である。図４に示すように，復調は，受信信号のフレーム境界においてＦＦＴを行い、各キャリアの信号点を抽出する。したがって、受信信号成分のスペクトラムに帯域外成分は殆どない。しかし、エコーとして回り込んできた送信フレームのフレーム境界と、受信信号の復調のためのＦＦＴ区間が必ずしも一致していないので、ＦＦＴ区間に不連続点が含まれることが多い。このため，送信帯域外成分が発生し、これが受信信号に対する雑音になる。
【００１９】
図５は上記のように送信スペクトラムの送信帯域外成分が受信スペクトラムの帯域内に入り受信信号に対する雑音となっている状態を示すグラフである。
（２）送信フレームの位相制御
図６は本発明の第１の実施の形態によるＡＤＳＬトランシーバの構成の一部を示すブロック図である。図６に示すように、ＡＤＳＬトランシーバの図１に示したものと同じＡ／Ｄコンバータ８０、Ｓ−Ｐバッファ１００、およびＦＦＴ１１０を含む受信部と、ＩＦＦＴ３０、サイクリック・プレフィックス付加部４０、Ｐ−Ｓバッファ４１、Ｄ／Ａコンバータ５０を含む送信部との間に、本実施の形態により、受信フレーム位相検出部６１０、ＦＦＴ境界位相制御部６２０、エコーフレーム位相検出部６３０、及び送信フレーム位相制御部６４０で構成される回り込み信号抑圧手段６５０が設けられている。
【００２０】
次に動作を説明する。ＡＤＳＬトランシーバ間において、初期トレーニング時にＩＦＦＴ３０により、トレーニング用の固定パターン信号を生成し、サイクリック・プレフィックス付加部４０では初期トレーニング時には何も行わないで通過して、Ｐ−Ｓバッファ４１に入り、Ｄ／Ａコンバータ（ＤＡＣ）５０によりサンプリングレートでデータがアナログ信号に変換される。この送信信号は相手局側のＡＤＳＬトランシーバの受信部のイコライザ・トレーニングとして使われるが、それと同時に自局ＡＤＳＬトランシーバの受信部に以下の動作を行わせることで、送受信のフレーム位相を合わせる。
【００２１】
すなわち、送信したトレーニング・パターンは、ハイブリッド回路２２０ (図２参照）を通してエコーとして受信側に漏れ込む。このエコーは、Ａ／Ｄコンバータ８０でディジタル変換され、バッファ１００で保持され、１フレーム分溜まったところで、ＦＦＴ１１０により高速フーリエ変換 (以下、ＦＦＴと称する）される。エコーフレーム位相検出部６３０では、このＦＦＴした結果の信号と送信したパターンを比較して、各キャリアの位相差から伝達遅延を計算する。
【００２２】
次に、相手局のＡＤＳＬトランシーバがトレーニング信号を送信し、この信号がＡ／Ｄコンバータ（ＡＤＣ）８０、Ｓ−Ｐバッファ１００を通りＦＦＴ１１０から出力される。また、このトレーニング信号は前もって決められた送信パターンを連続的に送信しているため、受信フレーム位相検出器６１０でＦＦＴ１１０の出力から受信信号のフレーム境界と現ＦＦＴ区間との差を検出することができる。ＦＦＴ境界位相制御部６２０では、受信信号のフレーム境界とＦＦＴ区間を一致させるために、Ｓ−Ｐバッファ１００からＦＦＴ１１０に入力するタイミングをＡ／Ｄコンバータ８０からの１サンプルの解像度で変更する。送信フレーム位相制御器６４０では、先にエコーフレーム位相検出器６３０で求めた値と、この受信側ＦＦＴタイミングの変更量から、送信フレームと受信フレームの位相を合わせるための送信タイミングの変更量を決定し、Ｐ−Ｓバッファ４１を制御して送信フレームの送出タイミングを変更する。
【００２３】
これらの処理により、送信フレームと受信フレームの位相を合わせることが可能となる。
図７は図６に示した装置の動作を更に詳細に説明するフローチャートである。図７において、まず、ステップＳ１にて送信パターン生成部６００によりトレーニング用送信パターンＸ（ｎ）を生成し，次いでステップＳ２にてこのＸ（ｎ）をＩＦＦＴ３０で変調して送信信号ｘ（ｔ）を作成し、送信する。この送信信号ｘ（ｔ）は、ハイブリッド回路２２０ (図２参照）から受信部へ漏れ込み、ｘ’ (Ｔ) としてＡＤコンバータ８０によりディジタル信号に変換される。このディジタル信号ｘ’（ｔ）をステップＳ３にてＦＦＴ１１０により高速フーリエ変換してＸ’（ｎ）を求める。次に、ステップＳ４にて、先に述べたトレーニング用送信パターンＸ（ｎ）の複素共役であるＸ* （ｎ）とＸ’（ｎ）を掛けたものを３０により逆高速フーリエ変換してエコーフレームの位相（Ａ）を算出する。
【００２４】
次に、相手局によりトレーニングパターンＹ（ｎ）をＩＦＦＴで変調した信号ｙ（ｔ）が送信され、この信号が加入者回線を伝達し、受信信号ｙ’（ｔ）として自局のＡＤＳＬトランシーバの受信部に入る。受信部は、ステップＳ５にてこの信号ｙ’（ｔ）をＦＦＴ１１０により高速フーリエ変換してＹ’（ｎ）を求める。次に、ステップＳ６にて既知であるＹ（ｎ）の複素共役Ｙ’（ｎ）とＹ’（ｎ）を掛けたものをＩＦＦＴ３０により逆高速フーリエ変換して受信フレームの位相（Ｂ）を算出する。次に、ステップＳ７にて受信フレームのＦＦＴ境界を合わせるために、受信部のＳ−Ｐバッファ１００の出力位相をＢだけサンプルシフトする。最後に、ステップＳ８にて、送信部のＰ−Ｓバッファ４１の出力位相をＢ−Ａだけサンプルシフトして、エコーフレームの位相合わせが完了する。
【００２５】
図８は、上記のようにして送信フレームと受信フレームの位相を合わせたときの状態を示す図である。図８に示されるように、ＦＦＴ区間に不連続点が含まれていないため、送信信号の帯域外成分が受信信号帯域内で殆ど発生しない。
図９は上記のようにして送信フレームと受信フレームの位相を合わせたときの効果を示すグラフである。図からわかるように、図６に示した構成にしたことにより、ＦＦＴによる復調で、送信部から受信部への回り込み信号（エコー信号）をほぼ完全に分離でき、受信信号のみを取り出すことが可能となった。
（３）エコーの群遅延歪みの調整
図１０は本発明の第２の実施の形態によるＡＤＳＬトランシーバにより除去される、群遅延歪みを説明する波形図である。エコー・パスは通常群遅延歪みを有するため、ＤＭＴキャリア周波数に依存して，受信部に到達する時間が異なる。図１０（Ａ）に示すように、エコー・パスの群遅延特性は、周波数が低いほど遅延が大きい特性がある。このため、本実施の形態においては、送信信号が回りこんだ結果の受信信号について，各周波数成分の遅延が一致するように送信信号で周波数が低い方 (遅延が大きい）を先行して送信する。すなわち、送信信号に予め群遅延歪みの逆特性を持たせて送信する。このようにして、図１０（Ｂ）に示すように、受信部での各ＤＭＴキャリアのフレーム境界を一致させる。
【００２６】
(４) 送信部への群遅延補正器の適用
図１１は本発明の第３の実施の形態によるＡＤＳＬトランシーバの構成の一部を示すブロック図である。この実施の形態では、上記第２の実施の形態における群遅延歪みの補正手段は送信部に組み込まれている。すなわち、送信部内の、サイクリックプレフィックス付加部４０とＤ／Ａコンバータ（ＤＡＣ）５０の間にＩＩＲフィルタ１１０を設けた。また、受信部は、加入者回線の減衰特性を推定するためのエネルギー検出部１１２と、ＩＩＲフィルタ１１０の係数を選択する係数選択部１１３と、群遅延用ＩＩＲフィルタ１１０のフィルタ係数を加入者回線の特性に応じてＮ個備えるフィルタ係数テーブル１１４とを備えている。
【００２７】
次に動作を説明する。まず、対抗局から送信された既知のイニシャライゼーション信号がＡ／Ｄコンバータ８０ (図１参照）によりディジタル信号に変換され、その後エネルギー検出部１１２に入る。エネルギー検出部１１２では平均エネルギーとして、ディジタル化された各サンプルの値の２乗平均を計算する。この２乗平均を、既知イニシャライゼーション信号の２乗平均と比較し、その減衰量から加入者回線の周波数減衰特性を推定する。係数選択部１１３ではエネルギー検出部１１２により推定された加入者回線の減衰特性に対応する最適なフィルタ係数をフィルタ係数テーブル１１４から選択し、選択されたフィルタ係数を送信部にある送信ＩＩＲフィルタ１１０にセットする。これにより、送信部から回り込むエコー・パスが持つ群遅延歪みによる受信信号への悪影響は軽減される。
【００２８】
図１２は上記したエコーの群遅延時間の周波数特性を示すグラフであり、図１３は図１２に示したエコーの群遅延特性と逆特性のＩＩＲフィルタ係数の周波数特性を示すグラフである。上記した送信部の群遅延補正係数用ＩＩＲフィルタ１１０の特性について図１２および図１３を用いて説明する。図１２に示すように、エコーの群遅延特性は加入者回線の距離等の特性により異なる。ＩＩＲフィルタ１１０ではこの群遅延歪みを補正するために、加入者回線の主な種別毎の群遅延特性の逆特性を持つフィルタ係数を予めテーブル化しておき、図１１に示したエネルギー検出部１１２により求めた加入者回線の減衰量から最適なフィルタ係数を選択して送信部ＩＩＲフィルタ１１０にセットする。
（５）受信部への群遅延補正器の適用
図１４は本発明の第４の実施の形態によるＡＤＳＬトランシーバの構成の一部を示すブロック図である。この実施の形態では、上記第２の実施の形態における群遅延歪みの補正手段は受信部に組み込まれている。すなわち、受信部内の群遅延歪み補正手段１４０は、エコー・パス群遅延歪み補正用の遅延イコライザ (遅延ＥＱＬ）１４１とブロック間干渉を緩和するためのタイム・ドメイン・イコライザ（ＴＥＱ）１４２とを従属接続して構成されている。
【００２９】
次に遅延イコライザ１４１の特性の決定方法、すなわち遅延イコライザ１４１の係数の決定方法を説明する。
送信信号の回り込み信号をＦＦＴして得た周波数ドメインの信号と，送信した信号の複素共役、つまり、送信側のＩＦＦＴ入力信号の複素共役とを掛けて、各周波数成分の遅延を算出する。次に、この算出結果の逆特性、すなわち、算出結果の複素共役を遅延イコライザ１４１の周波数ドメインでの係数とする。これにより、遅延イコライザ１４１は、送信回り込み信号の群遅延を補正する性質を持つことになる。最後に、これをＩＦＦＴして時間ドメインの係数を求め、実際の遅延イコライザ１４１の係数とする。
【００３０】
次に動作を説明する。まず、対抗局から送信された既知のイニシャライゼーション信号がハイブリッド回路２２０を通ってＡ／Ｄコンバータ８０ (図１参照）によりディジタル信号に変換され、その後遅延イコライザ１４１に入る。遅延イコライザ１４１では回線の特性の逆特性の遅延を生じるので、送信部からのエコー・パスが持つ群遅延歪みによる受信信号への悪影響は軽減される。
【００３１】
本発明の第５の実施の形態により、遅延イコライザ１４１をＦＩＲ型フィルタとすることでＴＥＱ１４２と遅延イコライザ１４１を一つにまとめたＦＩＲ型イコライザ１４３にすることができ，処理量を削減することが可能となる。ＴＥＱ１４２と遅延イコライザ１４１を一つにまとめる手法には，時間領域で係数を一つにまとめる方法と、周波数領域で係数を一つにまとめる方法とがある。次の (６) 及び（７）でそれぞれの方法を説明する。
【００３２】
(６) 時間領域で係数を一つにまとめる方法
図１５は時間領域でフィルタ係数を一つにまとめる方法を示す図である。図１５に示すように、ＦＩＲ型フィルタで構成されたＴＥＱ１４２の受信信号に最適化した係数ａと送信エコーの群遅延に対応して最適化した遅延イコライザ１４１の係数ｂをサイクリック・コンボリュージョンすることにより、新しい係数を得ることができ、これを一つのＦＩＲフィルタの係数とする。
【００３３】
(７) 周波数領域で係数を一つにまとめる方法
図１６は周波数領域でフィルタ係数を１つにまとめる方法を示す図である。図１６に示すように、ＴＥＱ１４２の受信信号に最適化した周波数特性をＴ (ω）とし、送信エコーの群遅延用の遅延イコライザ１４１の送信エコーに最適化した周波数特性、すなわち、イコライザ係数をＦＦＴした結果をＥ (ω）とする。この２つの係数を１つにしたものをＦ（ω）とすると、Ｆ( ω) ＝Ｔ (ω) ×Ｅ (ω）となる。次に、このＦ (ω）をＩＦＦＴすることによりフィルタ係数であるｆ（ｔ）を求めることができる。
（８）ハイブリッド型
図１７は本発明の第６の実施の形態によるＡＤＳＬトランシーバの一部の構成を示すブロック図である。この実施の形態では、ここまで説明してきた群遅延補正器を送信部と受信部の両方で行うハイブリッド型とした。
【００３４】
図１７に示すように、図１１に示したＡＤＳＬトランシーバと同様に送信部にはＩＩＲフィルタ１１０を設け、受信部にはエネルギー検出部１１２と係数選択部１１３とフィルタ係数テーブル１１４とを設けると共に、図１４に示したＡＤＳＬトランシーバと同様に受信部において遅延イコライザ１４１とＴＥＱ１４２とを従属接続させている。
【００３５】
動作において、エネルギー検出部１１２により受信信号の減衰量を求め、この減衰量から回線特性を推定し、係数選択部１１３は推定された回線特性に最適なフィルタ係数をフィルタ係数テーブル１１４から選択し、送信ＩＩＲフィルタ１１０にセットする。
また、受信部内のエコーパス群遅延歪み補正用の遅延イコライザ１４１を用いて送受信部で群遅延歪みを補正するハイブリッド型にすることで，送信部のＩＩＲフィルタ１１０の規模と受信部内の遅延イコライザ１４１の規模を小さくすることができる。
【００３６】
以上の実施の携帯ではＡＤＳＬトランシーバについて説明してきたが、本発明はＡＤＳＬトランシーバ以外のｘＤＳＬトランシーバにも適用可能であることは、当業者に明らかである。
【００３７】
【発明の効果】
以上述べた様に本発明では以下の効果を有する。
送信フレームと受信フレームの位相を合わせることにより，送信部から受信部に回り込むエコーが受信信号に及ぼすノイズ成分を抑えることができる。また、エコー・パスの群遅延歪みを補正することにより、エコー除去の品質を上げることが可能である。また、ＴＥＱフィルタと組み合わせることにより、処理量削減が可能となる。
【図面の簡単な説明】
【図１】従来のＡＤＳＬトランシーバの構成を示すブロック図である。
【図２】従来のＡＤＳＬトランシーバにおける回り込み信号を説明するためのブロック図である。
【図３】加入者側の従来のＡＤＳＬトランシーバにおける送信信号と受信信号のスペクトラムを示す図である。
【図４】従来のＡＤＳＬトランシーバを用いて受信信号を復調する際の送信信号における不連続点を説明する図である。
【図５】従来のＡＤＳＬトランシーバにおいて送信スペクトラムの送信帯域外成分が受信スペクトラムの帯域内に入り受信信号に対する雑音となっている状態を示すグラフである。
【図６】本発明の第１の実施の形態によるＡＤＳＬトランシーバの構成の一部を示すブロック図である。
【図７】図６に示した装置の動作を更に詳細に説明するフローチャートである。
【図８】送信フレームと受信フレームの位相を合わせたときの状態を示す図である。
【図９】送信フレームと受信フレームの位相を合わせたときの効果を示すグラフである。
【図１０】本発明の第２の実施の形態によるＡＤＳＬトランシーバにより除去される、群遅延歪みを説明する波形図である。
【図１１】本発明の第３の実施の形態によるＡＤＳＬトランシーバの構成の一部を示すブロック図である。
【図１２】エコーの群遅延時間の周波数特性を示すグラフである。
【図１３】図１２に示したエコーの群遅延特性と逆特性のＩＩＲフィルタ係数の周波数特性を示すグラフである。
【図１４】本発明の第４の実施の形態によるＡＤＳＬトランシーバの構成の一部を示すブロック図である。
【図１５】時間領域でフィルタ係数を一つにまとめる方法を示す図である。
【図１６】周波数領域でフィルタ係数を１つにまとめる方法を示す図である。
【図１７】本発明の第６の実施の形態によるＡＤＳＬトランシーバの一部の構成を示すブロック図である。
【符号の説明】
２１０…送信部
２２０…ハイブリッド回路
２３０…受信部
２４０…加入者回線
６１０…受信フレーム位相検出部
６２０…ＦＦＴ境界位相制御部
６３０…エコーフレーム位相検出部
６４０…送信フレーム位相制御部
６５０…回り込み信号抑圧手段
１１０…ＩＩＲフィルタ
１１２…エネルギー検出部
１１３…係数選択部
１１４…フィルタ係数テーブル
１１５…回り込み信号抑圧手段
１４０…群遅延歪み補正手段
１４１…遅延イコライザ
１４２…タイム・ドメイン・イコライザ
１４３…ＦＩＲ型イコライザ
【図１】
0003717363.tif 000002
【図２】
0003717363.tif 000003
【図３】
0003717363.tif 000004
【図４】
0003717363.tif 000005
【図５】
0003717363.tif 000006
【図６】
0003717363.tif 000007
【図７】
0003717363.tif 000008
【図８】
0003717363.tif 000009
【図９】
0003717363.tif 000010
【図１０】
0003717363.tif 000011
【図１１】
0003717363.tif 000012
【図１２】
0003717363.tif 000013
【図１３】
0003717363.tif 000014
【図１４】
0003717363.tif 000015
【図１５】
0003717363.tif 000016
【図１６】
0003717363.tif 000017
【図１７】
0003717363.tif 000018